(57)【要約】      （修正有）【課題】紙幣入金口に硬貨が入れられたときに、硬貨が異物収納部に収納されたことを操作者が認識することができる貨幣処理装置および貨幣処理方法を提供する。【解決手段】貨幣処理装置（貨幣入出金機１００）は、紙幣を機体外から機体内に投入するための紙幣入金口１１０の近傍に設けられ、当該紙幣入金口１１０に入れられた紙幣以外の異物がこの紙幣入金口１１０から送られる異物収納部（固定受皿３０、返却用受皿３２）と、異物収納部に収納された硬貨を検知するための検知部（磁気センサ３４ａ）と、を備えている。【選択図】図７
2014170386.tif 000002
【特許請求の範囲】
【請求項１】
紙幣を機体外から機体内に投入するための紙幣入金口の近傍に設けられ、当該紙幣入金口に入れられた紙幣以外の異物が収納される異物収納部と、
前記異物収納部に収納された硬貨を検知するための検知部と、
を備えた、貨幣処理装置。
【請求項２】
前記検知部は、磁界の変化によって硬貨を検知する磁気センサを含む、請求項１記載の貨幣処理装置。
【請求項３】
前記検知部は複数の磁気センサを含み、前記異物収納部における硬貨の場所も検知するようになっている、請求項２記載の貨幣処理装置。
【請求項４】
前記検知部による硬貨の検知結果に基づいて、前記異物収納部に硬貨が収納されていることを報知する報知部を更に備えた、請求項１乃至３のいずれか一項に記載の貨幣処理装置。
【請求項５】
前記報知部は、前記貨幣処理装置における貨幣の処理状況や在高に関する情報も報知するようになっており、当該報知部は、前記異物収納部に硬貨が収納されていることを報知する際に、前記貨幣処理装置における貨幣の処理状況や在高に関する情報を報知するときと異なる態様で報知するようになっている、請求項４記載の貨幣処理装置。
【請求項６】
前記検知部は、前記異物収納部に収納された硬貨以外の異物も検知するようになっており、前記報知部は、前記異物収納部に硬貨以外の異物が収納されていることを報知する際に、前記異物収納部に硬貨が収納されていることを報知するときと異なる態様で報知するようになっている、請求項４または５記載の貨幣処理装置。
【請求項７】
前記検知部による硬貨の検知結果と、前記検知部により硬貨が検知された際の前記貨幣処理装置における取引情報とを関連付けて記憶する記憶部を更に備えた、請求項１乃至６のいずれか一項に記載の貨幣処理装置。
【請求項８】
前記検知部による硬貨の検知結果と、前記検知部により硬貨が検知された際の前記貨幣処理装置における取引情報とを関連付けて記憶する記憶部を更に備え、
前記検知結果は、前記異物収納部における硬貨の場所に関する情報も含む、請求項３記載の貨幣処理装置。
【請求項９】
前記検知部により硬貨が検知されたときに前記貨幣処理装置の動作を停止させるか否かの設定を行うための設定部を更に備えた、請求項１乃至８のいずれか一項に記載の貨幣処理装置。
【請求項１０】
前記紙幣入金口を開閉するためのシャッタを更に備え、
前記シャッタは、前記紙幣入金口を開いたときに当該紙幣入金口から落下した紙幣以外の異物を受け止める開位置に位置するようになっており、前記開位置から前記紙幣入金口を閉じる閉位置まで前記シャッタが移動したときにこのシャッタに受け止められた異物が更に落下して前記異物収納部に送られるようになっている、請求項１乃至９のいずれか一項に記載の貨幣処理装置。
【請求項１１】
紙幣を機体外から機体内に投入するための紙幣入金口に紙幣を入れる工程と、
前記紙幣入金口に紙幣以外の異物が入れられたときに、この紙幣入金口から異物収納部に送られて当該異物収納部に収納された硬貨を検知する工程と、
を備えた、貨幣処理方法。
【発明の詳細な説明】
【技術分野】
【０００１】
本発明は、貨幣処理装置および貨幣処理方法に関し、とりわけ、紙幣入金口に硬貨が入れられたときにこの硬貨を検知する貨幣処理装置および貨幣処理方法に関する。
【背景技術】
【０００２】
従来から、金融機関の窓口等に設置され、貨幣の入金処理や出金処理等を行う貨幣入出金機として様々なタイプのものが知られている。金融機関の窓口等に貨幣入出金機が設置されている場合には、テラーによってこの貨幣入出金機で紙幣や硬貨の入金処理が行われるが、紙幣を機体外から機体内に投入するための紙幣入金口に、硬貨やクリップ等の紙幣以外の異物が誤って混入してしまった場合には、紙幣のジャム（詰まり）や機器の故障といったトラブルが発生するおそれがある。このため、このようなトラブルの発生を防止するために、例えば特許文献１には、紙幣入金口の下部に異物収納部を設け、この紙幣入金口に紙幣以外の異物が入れられたときには、当該異物は紙幣入金口から落下して異物収納部に収納されるような技術が開示されている。このような貨幣入出金機によれば、テラーによって紙幣入金口に挿入される複数の紙幣間に紙幣以外の異物が挟まっていた場合でも、紙幣入金口から紙幣を機体内に１枚ずつ繰り出すための紙幣繰出機構に異物が詰まってしまうことを防止することができる。
【先行技術文献】
【特許文献】
【０００３】
【特許文献１】特開２００１−８４４２４号公報
【発明の概要】
【発明が解決しようとする課題】
【０００４】
しかしながら、特許文献１に開示されるような従来の貨幣入出金機では、紙幣入金口に紙幣以外の異物が入れられ、この異物が異物収納部に収納された場合でも、異物収納部に異物が収納されていることを検知するための検知部が設けられていないため、異物収納部に異物が収納されたことをテラーは認識することができないという問題があった。さらに、紙幣入金口に紙幣を入れた際にこの紙幣入金口に硬貨も誤って入れてしまった場合には、テラーは硬貨を顧客に返却しなければならないが、従来の貨幣入出金機ではテラーが顧客に硬貨を返却し忘れてしまうおそれがあるという問題があった。
【０００５】
本発明は、このような点を考慮してなされたものであり、紙幣入金口に硬貨が誤って入れられたときに、硬貨が異物収納部に収納されたことを操作者が認識することができる貨幣処理装置および貨幣処理方法を提供することを目的とする。
【課題を解決するための手段】
【０００６】
本発明の貨幣処理装置は、紙幣を機体外から機体内に投入するための紙幣入金口の近傍に設けられ、当該紙幣入金口に入れられた紙幣以外の異物が収納される異物収納部と、前記異物収納部に収納された硬貨を検知するための検知部と、を備えたことを特徴とする。
【０００７】
このような貨幣処理装置によれば、異物収納部に収納された硬貨を検知するための検知部が設置されているので、紙幣入金口に硬貨が誤って入れられたときに、硬貨が異物収納部に収納されたことを操作者が認識することができるようになり、異物収納部に収納された硬貨をテラーが顧客に返却し忘れてしまうことを防止することができる。
【０００８】
本発明の貨幣処理装置においては、前記検知部は、磁界の変化によって硬貨を検知する磁気センサを含んでいてもよい。
【０００９】
この際に、前記検知部は複数の磁気センサを含み、前記異物収納部における硬貨の場所も検知するようになっていてもよい。
【００１０】
本発明の貨幣処理装置は、前記検知部による硬貨の検知結果に基づいて、前記異物収納部に硬貨が収納されていることを報知する報知部を更に備えていてもよい。
【００１１】
この際に、前記報知部は、前記貨幣処理装置における貨幣の処理状況や在高に関する情報も報知するようになっており、当該報知部は、前記異物収納部に硬貨が収納されていることを報知する際に、前記貨幣処理装置における貨幣の処理状況や在高に関する情報を報知するときと異なる態様で報知するようになっていてもよい。
【００１２】
また、前記検知部は、前記異物収納部に収納された硬貨以外の異物も検知するようになっており、前記報知部は、前記異物収納部に硬貨以外の異物が収納されていることを報知する際に、前記異物収納部に硬貨が収納されていることを報知するときと異なる態様で報知するようになっていてもよい。
【００１３】
本発明の貨幣処理装置は、前記検知部による硬貨の検知結果と、前記検知部により硬貨が検知された際の前記貨幣処理装置における取引情報とを関連付けて記憶する記憶部を更に備えていてもよい。
【００１４】
あるいは、本発明の貨幣処理装置は、前記検知部による硬貨の検知結果と、前記検知部により硬貨が検知された際の前記貨幣処理装置における取引情報とを関連付けて記憶する記憶部を更に備え、前記検知結果は、前記異物収納部における硬貨の場所に関する情報も含んでいてもよい。
【００１５】
本発明の貨幣処理装置は、前記検知部により硬貨が検知されたときに前記貨幣処理装置の動作を停止させるか否かの設定を行うための設定部を更に備えていてもよい。
【００１６】
本発明の貨幣処理装置は、前記紙幣入金口を開閉するためのシャッタを更に備え、前記シャッタは、前記紙幣入金口を開いたときに当該紙幣入金口から落下した紙幣以外の異物を受け止める開位置に位置するようになっており、前記開位置から前記紙幣入金口を閉じる閉位置まで前記シャッタが移動したときにこのシャッタに受け止められた異物が更に落下して前記異物収納部に送られるようになっていてもよい。
【００１７】
本発明の貨幣処理方法は、紙幣を機体外から機体内に投入するための紙幣入金口に紙幣を入れる工程と、前記紙幣入金口に紙幣以外の異物が入れられたときに、この紙幣入金口から異物収納部に送られて当該異物収納部に収納された硬貨を検知する工程と、を備えたことを特徴とする。
【００１８】
このような貨幣処理方法によれば、紙幣入金口から異物収納部に送られて当該異物収納部に収納された硬貨を検知するようになっているので、紙幣入金口に硬貨が誤って入れられたときに、硬貨が異物収納部に収納されたことを操作者が認識することができるようになり、異物収納部に収納された硬貨をテラーが顧客に返却し忘れてしまうことを防止することができる。
【発明の効果】
【００１９】
本発明の貨幣処理装置および貨幣処理方法によれば、紙幣入金口に硬貨が誤って入れられたときに、硬貨が異物収納部に収納されたことを操作者が認識することができる。
【図面の簡単な説明】
【００２０】
【図１】本発明の実施の形態による貨幣入出金機の外観を示す斜視図である。
【図２】図１に示す貨幣入出金機の内部構成を示す構成図である。
【図３】図１および図２に示す貨幣入出金機の機能ブロック図である。
【図４】図１等に示す貨幣入出金機における紙幣入金口の構成を示す断面図である。
【図５】図４に示す紙幣入金口を左方から見たときの側断面図である。
【図６】図４等に示す紙幣入金口に設置される固定受皿および返却用受皿の構成を示す斜視図である。
【図７】図６に示す固定受皿や返却用受皿等の分解斜視図である。
【図８】（ａ）は、図７に示す基板を上方から見たときの上面図であり、（ｂ）は、図７に示す基板における各磁気センサによる磁界の流れを示す側面図である。
【図９】（ａ）〜（ｃ）は、図４等に示す紙幣入金口においてシャッタを開状態から閉じるときの一連の動作を示す断面図である。
【図１０】（ａ）〜（ｃ）は、図１等に示す貨幣入出金機の表示部による表示内容を示す図である。
【発明を実施するための形態】
【００２１】
以下、図面を参照して本発明の実施の形態について説明する。図１乃至図１０は、本実施の形態に係る貨幣入出金機およびこの貨幣入出金機に設けられた紙幣入金口を示す図である。このうち、図１は、本実施の形態による貨幣入出金機の外観を示す斜視図であり、図２は、図１に示す貨幣入出金機の内部構成を示す構成図であり、図３は、図１および図２に示す貨幣入出金機の機能ブロック図である。また、図４は、図１等に示す貨幣入出金機における紙幣入金口の構成を示す断面図であり、図５は、図４に示す紙幣入金口を左方から見たときの側断面図である。また、図６は、図４等に示す紙幣入金口に設置される固定受皿および返却用受皿の構成を示す斜視図であり、図７は、図６に示す固定受皿や返却用受皿等の分解斜視図である。また、図８（ａ）は、図７に示す基板を上方から見たときの上面図であり、図８（ｂ）は、図７に示す基板における各磁気センサによる磁界の流れを示す側面図である。また、図９（ａ）〜（ｃ）は、図４等に示す紙幣入金口においてシャッタを開状態から閉じるときの一連の動作を示す断面図である。また、図１０（ａ）〜（ｃ）は、図１等に示す貨幣入出金機の表示部による表示内容を示す図である。
【００２２】
本実施の形態による貨幣入出金機１００は、金融機関の窓口等に設置されるものであり、紙幣および硬貨の入出金処理をそれぞれ行うようになっている。より詳細に説明すると、金融機関の窓口等において二人のテラーが１台の貨幣入出金機１００を共用するようになっており、図１に示す貨幣入出金機１００の両側にそれぞれテラーが配置されるとともに各テラーに対応して二台のモニタ（図示せず）が設置されるようになっている。
【００２３】
図１に示すように、本実施の形態による貨幣入出金機１００は、略直方体形状の筐体１０２を有しており、この筐体１０２の前面上方に紙幣入金口１１０が設けられるとともに筐体１０２の上面に硬貨入金口１５０が設けられるようになっている。また、筐体１０２の前面において紙幣入金口１１０の下方には紙幣出金口１４０が設けられるとともに、紙幣出金口１４０の更に下方にはリジェクト部１４２が設けられるようになっており、このリジェクト部１４２の両側の側方にはそれぞれ硬貨出金ボックス１５２が配置されるようになっている。ここで、紙幣入金口１１０、紙幣出金口１４０および硬貨入金口１５０は二人のテラーが共用するようになっているのに対し、リジェクト部１４２の両側に設けられた各硬貨出金ボックス１５２は各テラーにそれぞれ対応するようになっている。また、図１に示すように、紙幣入金口１１０には、当該紙幣入金口１１０の開閉を行うシャッタ４０が設けられており、また、紙幣出金口１４０にも、当該紙幣出金口１４０の開閉を行うシャッタ５０が設けられている。また、貨幣入出金機１００の筐体１０２の前面における紙幣出金口１４０やリジェクト部１４２の下方には前面扉１４４が設けられており、この前面扉１４４を開くことにより後述するカセット部１２２を筐体１０２内から手前側に引き出すことができるようになっている。
【００２４】
また、貨幣入出金機１００の筐体１０２の上面における硬貨入金口１５０の両側の側方には、紙幣占有ボタン１８４、硬貨占有ボタン１８６、紙幣出金口ランプ１９０および硬貨出金口ランプ１９２がそれぞれ設けられている。これらの紙幣占有ボタン１８４、硬貨占有ボタン１８６、紙幣出金口ランプ１９０および硬貨出金口ランプ１９２はそれぞれ左右一対となるよう配置されており、各ボタン１８４、１８６や各ランプ１９０、１９２は各テラーに対応するようになっている。また、貨幣入出金機１００の筐体１０２の上面における硬貨入金口１５０の後方には例えばタッチパネル等からなる操作表示部１８２が設けられている。図１では操作表示部１８２は倒れた状態で示されているが、この操作表示部１８２を図１に示す状態から鉛直方向上方に延びるよう立たせることができるようになっている。操作者はこの操作表示部１８２により様々な情報や指令を入力することができるようになっている。また、操作表示部１８２には、貨幣入出金機１００における貨幣の処理状況に関する情報や在高に関する情報が表示されるようになっている。なお、操作表示部１８２に表示される、貨幣入出金機１００における貨幣の処理状況に関する情報には、例えば、ジャム等の通常のエラーに係る情報や、リジェクト部１４２に送られたリジェクト紙幣に係る情報等が含まれる。具体的には、貨幣入出金機１００における貨幣の処理状況に関する情報として、「機体内で紙幣の詰まりが発生しました」「出金口のリジェクト紙幣を抜き取って下さい」等のメッセージが操作表示部１８２に表示されるようになる。また、貨幣入出金機１００の筐体１０２の前面には電源スイッチ１８０が設けられており、操作者がこの電源スイッチ１８０をオンにすることにより貨幣入出金機１００において紙幣や硬貨の入出金処理を行うことができるようになっている。
【００２５】
図２に示すように、貨幣入出金機１００の筐体１０２の内部には、紙幣の入出金処理を行う紙幣処理部１０４と、硬貨の入出金処理を行う硬貨処理部１０６とがそれぞれ設けられている。紙幣処理部１０４の構成の詳細について以下に説明する。
【００２６】
前述したように、貨幣入出金機１００の筐体１０２の前面上方に紙幣入金口１１０が設けられているが、この紙幣入金口１１０には紙幣繰出機構１１２が設置されており、筐体１０２の外部から紙幣入金口１１０に投入された紙幣は紙幣繰出機構１１２により１枚ずつ筐体１０２の内部に繰り出されるようになっている。より詳細には、図２および図５、とりわけ図５に示すように、紙幣繰出機構１１２は、左右一対のキッカローラ１１２ａ、左右一対のフィードローラ１１２ｂおよび左右一対のゲートローラ１１２ｃを有している。このような紙幣繰出機構１１２において、紙幣入金口１１０に投入され紙幣下端縁保持部１０（後述）に保持された紙幣はキッカローラ１１２ａによりフィードローラ１１２ｂとゲートローラ１１２ｃとの間の隙間に向かって１枚ずつ蹴り出され、この蹴り出された紙幣は、フィードローラ１１２ｂによって貨幣入出金機１００の筐体１０２内に１枚ずつ繰り出されるようになっている。
【００２７】
また、紙幣入金口１１０には搬送部１１４が接続されており、紙幣繰出機構１１２により筐体１０２の内部に繰り出された紙幣は搬送部１１４により１枚ずつ搬送されるようになっている。ここで、搬送部１１４には識別部１１６が設けられており、搬送部１１４により搬送される紙幣は識別部１１６によりその金種、真偽、正損、新旧等が識別されるようになっている。また、搬送部１１４には表裏反転部１１８が設けられており、搬送部１１４により搬送される紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。
【００２８】
また、搬送部１１４にはリジェクト部１４２が接続されており、識別部１１６により正常な紙幣ではないと識別された紙幣、すなわちリジェクト紙幣が搬送部１１４からリジェクト部１４２に送られるようになっている。リジェクト部１４２は筐体１０２の前面から引き出すことができるようになっており、筐体１０２の前面から引き出されたリジェクト部１４２は筐体１０２の外部からアクセス可能となっている。このことにより、操作者はこのリジェクト部１４２に集積されたリジェクト紙幣を手動で取り出すことができる。
【００２９】
また、搬送部１１４には複数（例えば５つ）の一時保留部１２０が接続されている。ここで、各一時保留部１２０は並列に並ぶよう配設されており、搬送部１１４から各一時保留部１２０に搬送された紙幣は、これらの一時保留部１２０において積層状態で集積されることにより一時的に保留されるようになっている。また、各一時保留部１２０の下方には例えば２つの紙幣収納カセット１２４および例えば３つの紙幣集積部１２６がそれぞれ設けられており、各一時保留部１２０に一時的に保留された紙幣は各紙幣収納カセット１２４や各紙幣集積部１２６に送られるようになっている。ここで、図２に示すように、筐体１０２の内部において各紙幣収納カセット１２４はカセット部１２２に着脱自在に収容されるようになっており、このカセット部１２２は前面扉１４４を開くことにより筐体１０２から前方に（すなわち、図２における左方向に）引き出すことができるようになっている。このように、カセット部１２２を筐体１０２から前方に引き出すことにより、紙幣が収納された紙幣収納カセット１２４をカセット部１２２から取り出し、この紙幣収納カセット１２４を回収することができるようになっている。一方、各紙幣集積部１２６に集積された紙幣は、これらの紙幣集積部１２６から搬送部１１４に繰り出されるようになっており、各紙幣集積部１２６から搬送部１１４に繰り出された紙幣は紙幣出金口１４０に送られ、このようにして紙幣の出金処理が行われるようになっている。
【００３０】
貨幣入出金機１００の筐体１０２の内部に設けられた硬貨処理部１０６は、硬貨の入出金処理を行うようになっている。具体的には、上面に設けられた硬貨入金口１５０に投入された硬貨を識別部（図示せず）により識別し、その後この硬貨を筐体１０２内に収納することによって硬貨の入金処理を行ったり、筐体１０２内に収納された硬貨を各硬貨出金ボックス１５２に送ることによって硬貨の出金処理を行ったりするようになっている。本実施の形態では、硬貨処理部１０６の詳細な説明は省略する。
【００３１】
前述したように、貨幣入出金機１００の筐体１０２の上面には、左右一対の紙幣占有ボタン１８４および左右一対の硬貨占有ボタン１８６がそれぞれ設けられており、各ボタン１８４、１８６は各テラーに対応するようになっている。そして、貨幣入出金機１００の側方に座っている各テラーが対応する紙幣占有ボタン１８４や硬貨占有ボタン１８６を押下することにより、このテラーに関連する紙幣や硬貨の入出金処理を行うことができるようになる。また、貨幣入出金機１００の筐体１０２の上面には、左右一対の紙幣出金口ランプ１９０および左右一対の硬貨出金口ランプ１９２がそれぞれ設けられており、各ランプ１９０、１９２は各テラーに対応するようになっている。そして、紙幣出金口１４０に出金紙幣が集積されたり硬貨出金ボックス１５２に出金硬貨が集積されたりすると、紙幣や硬貨の入出金処理を行っているテラーに対応する紙幣出金口ランプ１９０や硬貨出金口ランプ１９２が点灯するようになる。
【００３２】
本実施の形態では、図３に示すように、貨幣入出金機１００の筐体１０２内には、当該貨幣入出金機１００の各構成要素の制御を行う制御部２００が設けられている。図３に示すように、制御部２００には紙幣処理部１０４、硬貨処理部１０６、電源スイッチ１８０、操作表示部１８２、紙幣占有ボタン１８４、硬貨占有ボタン１８６、紙幣出金口ランプ１９０、硬貨出金口ランプ１９２等が接続されている。また、制御部２００には記憶部２０２、通信部２０４、設定部２０６等がそれぞれ接続されている。記憶部２０２には、貨幣入出金機１００における貨幣の処理状況や在高に関する情報が記憶されるようになっている。また、通信部２０４により、制御部２００は貨幣入出金機１００以外の外部装置（例えば、上位装置）と信号の送受信を行うようになっている。また、設定部２０６により、貨幣入出金機１００の動作モードの設定を行うことができるようになっている。これらの記憶部２０２、通信部２０４、設定部２０６の構成の詳細については後述する。
【００３３】
次に、このような貨幣入出金機１００における紙幣入金口１１０の構成の詳細について図４および図５を用いて説明する。図４は、紙幣入金口１１０の構成を示す断面図であり、図５は、図４に示す紙幣入金口１１０を左方から見たときの側断面図である。図４に示すように、紙幣入金口１１０には、筐体１０２の外部から紙幣入金口１１０に投入された紙幣の束の下端縁を保持するための紙幣下端縁保持部１０と、紙幣下端縁保持部１０上に載置された紙幣の束を紙幣繰出機構１１２に向かって押圧するための押圧部２０とがそれぞれ設けられている。また、図５に示すように、紙幣入金口１１０には左右一対の側板２４が間隔を空けて設けられており、これらの側板２４の間の領域に紙幣の束が投入されるようになっている。
【００３４】
図５に示すように、紙幣下端縁保持部１０は複数本の棒状の保持部材１２から構成されており、各保持部材１２の間には、硬貨やクリップ等の、紙幣以外の異物を落下させるのに十分な大きさを有する開口１４が設けられている。ここで、各保持部材１２の断面形状は山形状となっており、この山形状の断面の頂部のみが紙幣の束の下端縁と接するようになっている。各保持部材１２の断面形状がこのような山形状となっていることにより、紙幣の束の下端縁と各保持部材１２との間の接触面積が小さくなり、後述する押圧部２０により紙幣の束が紙幣繰出機構１１２に向かって押圧される際に各保持部材１２が紙幣の移動の妨げにならないようになっている。
【００３５】
また、図５の矢印に示すように、押圧部２０は、紙幣繰出機構１１２のキッカローラ１１２ａに向かって移動するようになっており、このことにより紙幣下端縁保持部１０により保持された紙幣の束のうち最前位にある紙幣をキッカローラ１１２ａに接触させるようになっている。ここで、図４に示すように、押圧部２０には移動手段２２が設けられており、この移動手段２２に設けられた軸部材２２ａは、各側板２４に形成された長穴２４ａに沿って移動するようになっている。図４に示すような状態から軸部材２２ａが長穴２４ａに沿って右上方向に移動することにより、押圧部２０は図４における位置から右上方向に移動して紙幣繰出機構１１２のキッカローラ１１２ａに接近するようになる。
【００３６】
また、前述したように、紙幣入金口１１０には、当該紙幣入金口１１０の開閉を行うシャッタ４０が設けられているが、このシャッタ４０は、筐体１０２の前面上部から上面にかけての両側にそれぞれ設けられた円弧状のレールに沿って摺動するよう断面円形状に形成されている。具体的には、シャッタ４０は、図４や図９（ａ）に示すような開位置と、図９（ｃ）に示すような閉位置との間で往復移動するようになっている。ここで、シャッタ４０が図４や図９（ａ）に示すような開位置にあるときには、紙幣入金口１１０の前面開口４２が開くことにより、操作者はこの紙幣入金口１１０内にアクセスすることができるようになる。一方、シャッタ４０が図９（ｃ）に示すような閉位置にあるときは、紙幣入金口１１０の下面開口４４（図９（ｃ）参照）が開くようになる。
【００３７】
また、紙幣入金口１１０の近傍において、紙幣下端縁保持部１０の下方には、固定受皿３０および返却用受皿３２がそれぞれ設けられている。固定受皿３０や返却用受皿３２等の構成の詳細について図６および図７を用いて説明する。
【００３８】
固定受皿３０は筐体１０２内に位置固定で設けられており、この固定受皿３０を筐体１０２内から取り外すことができないようになっている。一方、返却用受皿３２は固定受皿３０に載せられるよう設けられており、この返却用受皿３２は固定受皿３０に対して着脱自在となっている。返却用受皿３２は、非金属の材料から構成されている。前述したように、紙幣下端縁保持部１０の各保持部材１２の間には、硬貨やクリップ等の、紙幣以外の異物を落下させるのに十分な大きさを有する開口１４が設けられているため、紙幣入金口１１０に紙幣以外の異物が誤って入れられたときには、当該異物は各開口１４を通って紙幣下端縁保持部１０から落下し、固定受皿３０上に載置された返却用受皿３２に収納されるようになる。このような構成となっていることにより、テラーによって紙幣入金口１１０に挿入される複数の紙幣間に紙幣以外の異物が挟まっていた場合でも、紙幣入金口１１０から紙幣を筐体１０２の内部に１枚ずつ繰り出すための紙幣繰出機構１１２に異物が詰まってしまうことを防止することができる。また、返却用受皿３２に収納された異物は、操作者が返却用受皿３２を筐体１０２から外部に取り出すことにより回収することができるようになっている。
【００３９】
また、図７に示すように、固定受皿３０の下面には基板３４が取り付けられており、この基板３４には、コイル状の複数の磁気センサ３４ａが設けられている。基板３４の構成の詳細について図８を用いて説明する。図８（ａ）に示すように、基板３４には例えば６つの磁気センサ３４ａが固定受皿３０の幅方向に沿って並ぶよう設けられている。また、各磁気センサ３４ａはコイル状のものとなっており、これらの磁気センサ３４ａにより図８（ｂ）の二点鎖線に示すような磁界が形成されるようになっている。そして、紙幣入金口１１０に硬貨が誤って入れられ、この硬貨が各開口１４を通って紙幣下端縁保持部１０から落下し、固定受皿３０上に載置された返却用受皿３２に当該硬貨が収納されたときには、各磁気センサ３４ａにより形成される磁界がこの硬貨によって遮られることによって磁界が変化する。各磁気センサ３４ａは、このような磁界の変化に基づいて、返却用受皿３２に硬貨が収納されたことを検知する。具体的には、各磁気センサ３４ａにより検知される磁界の変化率が所定の閾値を超えた場合に、返却用受皿３２に硬貨が収納されたと判断するようになっている。
【００４０】
本実施の形態では、基板３４には６つの磁気センサ３４ａが固定受皿３０の幅方向に沿って並ぶよう設けられているため、これらの磁気センサ３４ａにより、返却用受皿３２におけるどの位置に硬貨が収納されたかについても検知することができるようになる。
【００４１】
なお、返却用受皿３２が固定受皿３０から取り外されているときには、紙幣入金口１１０に硬貨が誤って入れられ、この硬貨が各開口１４を通って紙幣下端縁保持部１０から落下したときに、当該硬貨は固定受皿３０に収納されるようになる。この場合には、各磁気センサ３４ａにより形成される磁界が固定受皿３０に収納された硬貨によって遮られることによって磁界が変化する。このようにして、各磁気センサ３４ａは、固定受皿３０に硬貨が収納された場合でもこのことを検知する。また、この場合には、各磁気センサ３４ａにより、固定受皿３０におけるどの位置に硬貨が収納されたかについても検知することができるようになる。
【００４２】
また、図７に示すように、固定受皿３０には複数の貫通穴３０ａが設けられているとともに、基板３４には各貫通穴３０ａに対応して複数のフォトセンサ３４ｂが設けられている。各フォトセンサ３４ｂは、各貫通穴３０ａを介して、固定受皿３０上の返却用受皿３２の有無を検知するようになっている。より詳細には、各フォトセンサ３４ｂにより透光状態が検知されたときには固定受皿３０上に返却用受皿３２が載置されていないと判断され、各フォトセンサ３４ｂにより遮光状態が検知されたときには固定受皿３０上に返却用受皿３２が載置されていると判断されるようになっている。そして、各磁気センサ３４ａにより硬貨が検知された場合には、各フォトセンサ３４ｂによる返却用受皿３２の検知情報に基づいて、硬貨が固定受皿３０および返却用受皿３２のうち何れに収納されたかについても検知されるようになる。また、この検知結果に基づいて、後述する操作表示部１８２等により、硬貨が固定受皿３０および返却用受皿３２のうち何れに収納されたかについて操作者に報知されるようになっている。
【００４３】
また、図７に示すように、基板３４の下方にはカバー３６が設けられており、固定受皿３０の下面に設けられた基板３４はカバー３６により覆われるようになっている。
【００４４】
また、基板３４の各磁気センサ３４ａによる硬貨の検知情報は制御部２００に送られるようになっている。そして、制御部２００は、各磁気センサ３４ａによる硬貨の検知情報に基づいて、固定受皿３０や返却用受皿３２に硬貨が収納されていることを操作表示部１８２に表示させる。ここで、操作表示部１８２は、固定受皿３０や返却用受皿３２に硬貨が収納されていることを操作者に報知するための報知部として機能するようになっている。また、操作表示部１８２は、貨幣入出金機１００における貨幣の処理状況や在高に関する情報も表示するようになっている。
【００４５】
基板３４の各磁気センサ３４ａにより固定受皿３０や返却用受皿３２に硬貨が収納されていることが検知されたときの、操作表示部１８２における表示内容について図１０（ａ）〜（ｃ）を用いて説明する。図１０（ａ）は、貨幣入出金機１００が待機中であるときの操作表示部１８２における表示内容を示している。ここで、基板３４の各磁気センサ３４ａにより固定受皿３０や返却用受皿３２に硬貨が収納されていることが検知された場合には、「返却口  残留硬貨あり」というメッセージが操作表示部１８２に表示されるようになる。ここで、「返却口  残留硬貨あり」というメッセージは、貨幣入出金機１００の在高情報とは異なる色で操作表示部１８２に表示される。また、図１０（ｂ）は、貨幣入出金機１００において紙幣や硬貨の入金処理が行われるときの操作表示部１８２における表示内容を示している。貨幣入出金機１００において紙幣や硬貨の入金処理が行われるときには、図１０（ｂ）に示すように貨幣の金種別の入金額および合計入金額が表示されるようになる。また、貨幣入出金機１００において紙幣や硬貨の入金処理が行われるときに、リジェクト部１４２にリジェクト紙幣が送られた場合には、操作表示部１８２には図１０（ｃ）に示すような「出金口のリジェクト紙幣を抜取ってください」というメッセージが表示されるようになる。この際に、「返却口  残留硬貨あり」というメッセージは、「出金口のリジェクト紙幣を抜取ってください」というメッセージとは異なる色で操作表示部１８２に表示される。
【００４６】
また、制御部２００は、基板３４の各磁気センサ３４ａによる硬貨の検知結果と、各磁気センサ３４ａにより硬貨が検知された際の貨幣入出金機１００における取引情報とを関連付けて記憶部２０２に記憶させるようになっている。取引情報としては、例えば顧客ＩＤ情報や口座情報、取引を行った時間等が含まれる。また、前述したように、各磁気センサ３４ａにより、返却用受皿３２や固定受皿３０におけるどの位置に硬貨が収納されたかについても検知することができるようになっているが、記憶部２０２に記憶される硬貨の検知結果には、返却用受皿３２や固定受皿３０における硬貨の場所に関する情報も含まれるようにすることができる。記憶部２０２に、基板３４の各磁気センサ３４ａによる硬貨の検知結果と、各磁気センサ３４ａにより硬貨が検知された際の貨幣入出金機１００における取引情報とが関連付けて記憶されている場合には、返却用受皿３２や固定受皿３０に収納された硬貨を返却し忘れても、取引情報から当該硬貨を返却すべき顧客を特定することができるようになる。
【００４７】
また、図３に示すように、制御部２００には設定部２０６が接続されており、この設定部２０６により、貨幣入出金機１００の動作モードの設定を行うことができるようになっている。ここで、本実施の形態では、基板３４の各磁気センサ３４ａにより硬貨が検知されたときに貨幣入出金機１００の動作を停止させるか否かの設定も設定部２０６により行うことができるようになっている。このような設定部２０６による設定は、操作者が操作表示部１８２を操作することにより行うことができる。基板３４の各磁気センサ３４ａにより硬貨が検知されたときに貨幣入出金機１００の動作を停止させることが設定部２０６により設定された場合には、貨幣入出金機１００において貨幣の入金処理を行う際に、紙幣入金口１１０に硬貨が誤って入れられ、この硬貨が各開口１４を通って紙幣下端縁保持部１０から落下し、返却用受皿３２に当該硬貨が収納されたことが基板３４の各磁気センサ３４ａにより検知されると、紙幣繰出機構１１２の動作が停止し、貨幣の入金処理が中断されるようになる。そして、操作者が返却用受皿３２から硬貨を取り出し、返却用受皿３２に硬貨が収納されていないことが基板３４の各磁気センサ３４ａにより検知されると、紙幣繰出機構１１２が再び動作し、貨幣の入金処理が再開されるようになる。
【００４８】
次に、このような構成からなる貨幣入出金機１００、とりわけ紙幣入金口１１０の動作について図９を用いて以下に説明する。
【００４９】
貨幣入出金機１００の紙幣入金口１１０に紙幣の束を挿入する際に、操作者は図９（ａ）に示すようにシャッタ４０を開位置に移動させ、紙幣入金口１１０の前面開口４２を開くようにする。そして、操作者は紙幣の束を紙幣下端縁保持部１０上に載置する。
【００５０】
この際に、紙幣入金口１１０に紙幣以外の異物が誤って入れられたときには、当該異物は各開口１４を通って紙幣下端縁保持部１０から落下し、開位置にあるシャッタ４０上に載せられるようになる。図９（ａ）では、シャッタ４０上に載置された硬貨を参照符号Ｃで示している。
【００５１】
貨幣入出金機１００の紙幣入金口１１０に紙幣の束を挿入した後、操作者が操作表示部１８２により入金処理開始の指令を入力すると、シャッタ４０は図９（ｂ）における矢印方向に移動し、図９（ｃ）に示す閉位置に到達する。この際に、紙幣入金口１１０の下部開口４４が開くようになり、シャッタ４０上に載置された異物はこのシャッタ４０から下部開口４４を通って落下する。図９（ｃ）に示すように、シャッタ４０から落下した異物は、固定受皿３０上に載置された返却用受皿３２に収納される。
【００５２】
また、シャッタ４０が閉位置に移動すると、移動手段２２により押圧部２０が紙幣繰出機構１１２のキッカローラ１１２ａに向かって移動し、このことにより紙幣下端縁保持部１０上に載置された紙幣の束のうち最前位の紙幣がキッカローラ１１２ａに当接する。そして、キッカローラ１１２ａによりフィードローラ１１２ｂとゲートローラ１１２ｃとの間の隙間に向かって紙幣が１枚ずつ蹴り出され、この蹴り出された紙幣は、フィードローラ１１２ｂによって貨幣入出金機１００の筐体１０２内に１枚ずつ繰り出される。
【００５３】
以上のように本実施の形態の貨幣入出金機１００によれば、紙幣入金口１１０に入れられた紙幣以外の異物がこの紙幣入金口１１０から送られる異物収納部として固定受皿３０および返却用受皿３２が設けられており、また、これらの固定受皿３０や返却用受皿３２に収納された硬貨を検知するための検知部として各磁気センサ３４ａが基板３４に設置されている。このことにより、紙幣入金口１１０に硬貨が誤って入れられたときに、硬貨が固定受皿３０や返却用受皿３２に収納されたことを操作者が認識することができるようになり、固定受皿３０や返却用受皿３２に収納された硬貨をテラーが顧客に返却し忘れてしまうことを防止することができる。
【００５４】
また、前述したように、本実施の形態の貨幣入出金機１００においては、基板３４には複数の磁気センサ３４ａが設けられており、固定受皿３０や返却用受皿３２における硬貨の場所も検知されるようになっている。このことにより、操作者は固定受皿３０や返却用受皿３２における硬貨の場所をすぐに特定することができ、迅速に固定受皿３０や返却用受皿３２から硬貨を取り出すことができるようになる。
【００５５】
また、前述したように、本実施の形態の貨幣入出金機１００においては、各磁気センサ３４ａによる硬貨の検知結果に基づいて、固定受皿３０や返却用受皿３２に硬貨が収納されていることを報知する報知部として操作表示部１８２が設けられている。なお、固定受皿３０や返却用受皿３２に硬貨が収納されていることを報知する報知部としては、表示により操作者に対して視覚的に報知を行うような操作表示部１８２に限定されることはなく、他の様々な報知方法を用いることができる。例えば、報知部は例えばスピーカからなり、音声により固定受皿３０や返却用受皿３２に硬貨が収納されていることを操作者に報知するようになっていてもよい。また、固定受皿３０や返却用受皿３２に硬貨が収納されていることを操作表示部１８２に表示させる際に、固定受皿３０や返却用受皿３２における硬貨の場所を操作表示部１８２にイメージ表示するようになっていてもよい。また、固定受皿３０や返却用受皿３２に硬貨が収納されていることを操作表示部１８２に表示させる代わりに、筐体１０２の前面に設けられたＬＥＤランプ（図示せず）の点灯や点滅により固定受皿３０や返却用受皿３２に硬貨が収納されていることを操作者に報知するようになっていてもよい。この際に、ＬＥＤランプの点滅の回数や色等を、ジャム等の通常のエラーとは異なる態様にしてもよい。
【００５６】
また、操作表示部１８２には、貨幣入出金機１００における貨幣の処理状況や在高に関する情報も表示されるようになっている。ここで、操作表示部１８２において、固定受皿３０や返却用受皿３２に硬貨が収納されていることを表示する際に、貨幣入出金機１００における貨幣の処理状況や在高に関する情報を表示するときと異なる態様（具体的には、例えば異なる色）で表示するようになっていることが好ましい。
【００５７】
また、本実施の形態の貨幣入出金機１００においては、各磁気センサ３４ａによる硬貨の検知結果と、各磁気センサ３４ａにより硬貨が検知された際の貨幣入出金機１００における取引情報とが関連付けて記憶部２０２に記憶されるようになっている。ここで、記憶部２０２に記憶される検知結果には、固定受皿３０や返却用受皿３２における硬貨の場所に関する情報も含まれるようになっていることが好ましい。このように、基板３４の各磁気センサ３４ａによる硬貨の検知結果と、各磁気センサ３４ａにより硬貨が検知された際の貨幣入出金機１００における取引情報とを関連付けて記憶部２０２に記憶させることにより、返却用受皿３２や固定受皿３０に収納された硬貨を返却し忘れても、取引情報から当該硬貨を返却すべき顧客を特定することができるようになる。とりわけ、記憶部２０２に記憶される検知結果に、固定受皿３０や返却用受皿３２における硬貨の場所に関する情報も含まれるようにした場合には、複数の取引の各々で硬貨が固定受皿３０や返却用受皿３２における異なる箇所に収納された場合において、固定受皿３０や返却用受皿３２における硬貨の場所に基づいて取引情報を特定し、この特定された取引情報に基づいて硬貨を返却すべき顧客を特定することができるようになる。
【００５８】
また、本実施の形態の貨幣入出金機１００においては、各磁気センサ３４ａにより硬貨が検知されたときに貨幣入出金機１００の動作を停止させるか否かの設定を行うための設定部２０６が設けられている。
【００５９】
また、本実施の形態の貨幣入出金機１００においては、図９に示すように、シャッタ４０は、紙幣入金口１１０を開いたときに当該紙幣入金口１１０から落下した紙幣以外の異物を受ける開位置（図９（ａ）参照）に位置するようになっており、開位置から紙幣入金口１１０を閉じる閉位置（図９（ｃ）参照）までシャッタ４０が移動したときにこのシャッタ４０に受け止められた異物が更に落下して固定受皿３０や返却用受皿３２に送られるようになっている。もし紙幣下端縁保持部１０から落下した硬貨が固定受皿３０や返却用受皿３２に直接送られるようになっていたら、これらの固定受皿３０や返却用受皿３２で硬貨が立位状態となってしまい、各磁気センサ３４ａにより硬貨を検出することができないおそれがある。これに対し、本実施の形態では、紙幣入金口１１０において上述したようなシャッタ４０を設け、紙幣下端縁保持部１０から落下した硬貨をシャッタ４０で一度受けることにより、固定受皿３０や返却用受皿３２において硬貨を確実に寝かせた状態とすることができ、このことにより各磁気センサ３４ａにより硬貨を確実に検出することができる。
【００６０】
なお、本実施の形態による貨幣入出金機１００や紙幣入金口１１０等は、上述したような態様に限定されることはなく、様々な変更を加えることができる。
【００６１】
例えば、固定受皿３０や返却用受皿３２に収納された硬貨を検知する検知部として、基板３４に設けられた各磁気センサ３４ａを用いる代わりに、他の種類のセンサを用いてもよい。この際に、検知部として、固定受皿３０や返却用受皿３２に収納された硬貨以外の異物も検知するようなものを用いてもよい。この場合には、紙幣入金口１１０に紙幣や硬貨以外のクリップ等の異物が誤って入れられたときでも、当該異物が各開口１４を通って紙幣下端縁保持部１０から落下し、固定受皿３０上に載置された返却用受皿３２に収納されたときに、このことが検知部により検知されるようになる。また、この場合には、操作表示部１８２において、固定受皿３０や返却用受皿３２に硬貨以外の異物が収納されていることを表示するようになっていてもよい。この際に、操作表示部１８２は、固定受皿３０や返却用受皿３２に硬貨以外の異物が収納されていることを表示する場合に、固定受皿３０や返却用受皿３２に硬貨が収納されているときと異なる態様（具体的には、例えば異なる色）で表示するようになっていることが好ましい。
【００６２】
また、固定受皿３０や返却用受皿３２に収納された異物を検知する検知部として光学センサを用い、この光学センサにより固定受皿３０や返却用受皿３２に収納された異物の大きさを検知するようになっていてもよい。また、固定受皿３０や返却用受皿３２に収納された異物を検知する検知部として撮像カメラを用い、当該撮像カメラにより固定受皿３０や返却用受皿３２を撮像して得られた画像を認識することにより固定受皿３０や返却用受皿３２に異物が収納されていることを検知するようになっていてもよい。また、固定受皿３０や返却用受皿３２に収納された異物を検知する検知部として、磁気センサおよび光学センサを組み合わせたものを用いてもよい。
【００６３】
また、固定受皿３０や返却用受皿３２に収納された硬貨を検知する検知部として磁気センサを用いた場合、この磁気センサを必ずしも固定受皿３０や返却用受皿３２の下方に設置する必要はない。固定受皿３０や返却用受皿３２の周囲であれば、磁気センサの位置は特定の位置に限定されることはない。
【００６４】
また、固定受皿３０や返却用受皿３２に収納された硬貨が検知部により検知されたときに、この検知情報を貨幣入出金機１００の操作表示部１８２に表示させる代わりに、検知情報を通信部２０４により上位装置等の外部装置に送信し、この外部装置の表示部に検知情報を表示させるようになっていてもよい。
【００６５】
また、固定受皿３０や返却用受皿３２に収納された硬貨を検知する検知部として、硬貨の金種も検知することができるようなものが用いられてもよい。具体的には、検知部として撮像カメラを設置し、この撮像カメラによって撮像された画像を認識し、記憶部２０２に記憶された金種毎の硬貨画像と比較することで硬貨の金種を検知するようにしてもよい。この場合には、操作表示部１８２において、固定受皿３０や返却用受皿３２に硬貨が収納されていることを表示する際に、この硬貨の金種に関する情報も表示するようになっていてもよい。
【００６６】
また、固定受皿３０や返却用受皿３２として、図６や図７に示すような構成以外のものを用いてもよい。固定受皿３０や返却用受皿３２として、基板３４に設置された複数の各磁気センサ３４ａに対応するよう、複数の収納領域に区分けされたものが用いられるようになっていてもよい。このような固定受皿３０や返却用受皿３２を用いた場合には、操作者は固定受皿３０や返却用受皿３２における硬貨の場所をすぐに特定することができ、迅速に固定受皿３０や返却用受皿３２から硬貨を取り出すことができるようになる。また、固定受皿３０や返却用受皿３２として複数の収納領域に区分けされたものが用いられる場合には、必ずしも複数の磁気センサ３４ａを設置する必要はなく、１つの磁気センサ３４ａを基板３４に設置するだけでも操作者は固定受皿３０や返却用受皿３２における硬貨の場所をすぐに特定することができるようになる。
【００６７】
また、紙幣入金口１１０に入れられた紙幣以外の異物がこの紙幣入金口１１０から送られる異物収納部として、固定受皿３０および返却用受皿３２からなる２つの受皿を用いる必要はない。紙幣入金口１１０に入れられた紙幣以外の異物がこの紙幣入金口１１０から送られる異物収納部として、筐体１０２の内部に固定された一つの受皿のみを用いてもよく、あるいは、このような異物収納部として筐体１０２の外部に取り外し可能な一つの受皿のみを用いてもよい。
【００６８】
また、固定受皿３０や返却用受皿３２に収納された硬貨が検知部により検知されたことを操作表示部１８２等により報知するタイミングとしては、（ａ）検知部により硬貨が検知されたときにすぐに報知する、（ｂ）紙幣入金口１１０に投入された紙幣が紙幣繰出機構１１２により全て繰り出された後に報知する、（ｃ）入金確定時に報知する、等が挙げられる。なお、「入金確定」とは、顧客から貨幣とともに受け取った入金伝票に記載された入金額と、貨幣入出金機１００で貨幣を識別計数した結果とが一致した場合に、テラー（操作者）がその取引を承認することをいう。ここで、入金確定されるまで貨幣は一時保留部（例えば、紙幣の場合は一時保留部１２０）に保留され、入金確定が行われると一時保留部から収納部に貨幣が移されるようになる。また、検知部により検知された貨幣が固定受皿３０や返却用受皿３２から抜き取られるまで、常に報知が行われるようになっていていてもよい。
【００６９】
また、固定受皿３０や返却用受皿３２に硬貨が収納されていることが検知部により検知されている間は、上述した入金確定を禁止するようになっていてもよい。この場合、操作者が入金確定操作を行おうとすると、固定受皿３０や返却用受皿３２から硬貨を抜き取る旨のメッセージが報知され、固定受皿３０や返却用受皿３２から硬貨が取り出されたことが検知部により検知された後に、入金確定操作を行うことができるようになる。
【００７０】
また、固定受皿３０や返却用受皿３２に硬貨以外のクリップ等の異物が収納されていることが検知部に検知された場合に、このことを報知しないようになっていてもよく、あるいは、固定受皿３０や返却用受皿３２に硬貨が収納されていることが検知された場合と異なる態様で報知するようになっていてもよい。
【符号の説明】
【００７１】
１０  紙幣下端縁保持部
１２  保持部材
１４  開口
２０  押圧部
２２  移動手段
２２ａ  軸部材
２４  側板
２４ａ  長穴
３０  固定受皿
３０ａ  貫通穴
３２  返却用受皿
３４  基板
３４ａ  磁気センサ
３４ｂ  フォトセンサ
３６  カバー
４０  シャッタ
４２  前面開口
４４  下部開口
５０  シャッタ
１００  貨幣入出金機
１０２  筐体
１０４  紙幣処理部
１０６  硬貨処理部
１１０  紙幣入金口
１１２  紙幣繰出機構
１１２ａ  キッカローラ
１１２ｂ  フィードローラ
１１２ｃ  ゲートローラ
１１４  搬送部
１１６  識別部
１１８  表裏反転部
１２０  一時保留部
１２２  カセット部
１２４  紙幣収納カセット
１２６  紙幣集積部
１４０  紙幣出金口
１４２  リジェクト部
１４４  前面扉
１５０  硬貨入金口
１５２  硬貨出金ボックス
１８０  電源スイッチ
１８２  操作表示部
１８４  紙幣占有ボタン
１８６  硬貨占有ボタン
１９０  紙幣出金口ランプ
１９２  硬貨出金口ランプ
２００  制御部
２０２  記憶部
２０４  通信部
２０６  設定部
【図１】
2014170386.tif 000003
【図２】
2014170386.tif 000004
【図３】
2014170386.tif 000005
【図４】
2014170386.tif 000006
【図５】
2014170386.tif 000007
【図６】
2014170386.tif 000008
【図７】
2014170386.tif 000009
【図８】
2014170386.tif 000010
【図９】
2014170386.tif 000011
【図１０】
2014170386.tif 000012